(57)【要約】【課題】  製版工程中に装置が非常停止し、製版動作が中断された場合の復帰動作において、マスタ及び作業時間を無駄にすることなく製版工程を再開可能な孔版印刷装置を提供する。【解決手段】  画像読取手段７と、製版手段３と、版胴９と、排版手段５とを少なくとも備え、画像読取動作、製版動作、巻装動作、排版動作からなる製版工程を行う孔版印刷装置１において、  製版画像領域識別手段、及び書込み完了判断手段８１をさらに備え、  装置の非常停止により前記製版動作が中断された際、前記書込み完了判断手段により前記製版画像領域の書込みが完了していないと判断された場合は、復帰動作として排版動作が行われ、前記書込み完了判断手段により前記製版画像領域の書込みが完了したと判断された場合は、復帰動作として無製版の製版動作が行われる孔版印刷装置。【選択図】図１
2013169739.tif 000002
【特許請求の範囲】
【請求項１】
画像を読み取る画像読取手段と、該画像読取手段で読取られた読取画像データに基づいてマスタに書込みを行う製版手段と、製版がなされた前記マスタを巻装する版胴と、前記版胴より前記マスタを排版する排版手段とを少なくとも備え、画像読取動作、製版動作、巻装動作、排版動作からなる製版工程を行う孔版印刷装置において、
前記読取画像データが前記マスタに書込まれる製版画像領域と書込みが行われない領域とを識別する製版画像領域識別手段、及び前記製版画像領域の書込みが完了したか否かを判断する書込み完了判断手段をさらに備え、
装置の非常停止により前記製版動作が中断された際、前記書込み完了判断手段により前記製版画像領域の書込みが完了していないと判断された場合は、復帰動作として排版動作が行われ、前記書込み完了判断手段により前記製版画像領域の書込みが完了したと判断された場合は、復帰動作として無製版の製版動作が行われることを特徴とする孔版印刷装置。
【請求項２】
前記画像読取手段で読み取られた前記読取画像データを格納する記憶手段を有し、
装置の非常停止により前記製版動作が中断された際、前記書込み完了判断手段により前記製版画像領域の書込みが完了していないと判断された場合は、復帰動作として排版動作が行われた後、前記記憶手段に格納された前記読取画像データに基づき、再び製版動作が行われることを特徴とする請求項１に記載の孔版印刷装置。
【請求項３】
装置の非常停止により前記製版動作が中断された際の復帰動作をユーザが選択可能な手段をさらに備えることを特徴とする請求項１または２に記載の孔版印刷装置。
【請求項４】
前記復帰動作が、排版動作が行われる第１の復帰動作、無製版の製版動作が行われる第２の復帰動作、及び排版動作が行われた後に再度製版動作が行われる第３の復帰動作のいずれかであることを特徴とする請求項３に記載の孔版印刷装置。
【発明の詳細な説明】
【技術分野】
【０００１】
本発明は、孔版印刷装置に関し、詳しくは孔版印刷装置の製版工程が中断された際の復帰動作に関する。
【背景技術】
【０００２】
従来より、簡便な印刷方法としてデジタル式感熱孔版印刷を行う孔版印刷装置が知られている。この孔版印刷装置は、熱可塑性樹脂フィルムと多孔性支持体とを貼り合わせた版（以下、「マスタ」ともいう）に、微細な発熱素子を複数有するサーマルヘッドを接触させ、原稿の画像データに基づきマスタを溶融穿孔製版する製版動作を行い、この穿孔製版されたマスタを多孔性円筒状の版胴（以下、「ドラム」ともいう）に巻装させ、プレスローラ等の押圧手段によって用紙を版胴外周面に押圧させることで版胴内周面に供給されたインキを版胴開孔部及びマスタ穿孔部から滲出させ、このインキを用紙に転移させることにより用紙上に印刷画像を得るものである。新たな原稿による製版巻装が行われる場合には、使用済みの古いマスタを剥離排版するようになっている。
【０００３】
この孔版印刷装置は、製版動作、排版動作、給版動作、印刷動作等を連続的に行うことが可能な全自動タイプが主流であるが、全自動タイプの孔版印刷装置では各動作が連続的に行われるため、各動作中に異常や不具合が発生した場合には非常停止するように構成されている。
【０００４】
孔版印刷装置の製版動作において、オペレータによる電源スイッチのオフや、停電、何らかの異常が発生するなどして装置が停止した場合に、復帰動作を制御する技術が提案されている（たとえば、特許文献１〜３参照）。
【０００５】
特許文献１には、製版動作中の電源オフ後の電源再投入時において、効率よく、かつコストアップすることなく製版動作を継続することが可能な孔版印刷装置が提案されており、具体的には、製版工程中の電源切断時において、装置が各動作のうちのどの時点で停止したかを記憶可能な記憶手段を設けることにより、電源再投入時において記憶手段に記憶された時点から動作を再開させる技術が開示されている。特許文献２にも、非常停止後に常に最良の状態で復帰を行うことが可能な孔版印刷装置が提案されており、製版動作の工程を記憶する記憶手段を有し、該記憶手段に記憶された工程に基づいて復帰動作を行う技術が開示されている。また、特許文献３には、電源切断後の電源再投入時において、製版から切断までの間に電源が遮断された場合にマスタを排版する技術が記載されている。
【発明の概要】
【発明が解決しようとする課題】
【０００６】
孔版印刷装置の製版工程中における非常停止後の復帰動作としては、排版動作を行う技術や、排版動作を行わずに無製版を巻きつける制御を行う技術が既に知られている。
しかしながら、製版が完了してマスタの切断時において孔版印刷装置が非常停止した場合には、使用可能なマスタが生成していたとしても、これを除去して再度製版動作が行われるため、マスタ及び作業時間が無駄になってしまうという問題がある。
また、排版動作を行わずに無製版を巻きつける制御を行う場合には、読み取られた原稿の画像データが書き込まれる領域の書き込みが完了していなくてもマスタをドラムに巻装するため、そのマスタは中途半端な画像となるため結果的には使用できず、排版を行った後に再度製版を行う必要があり、やはりマスタ及び作業時間が無駄になってしまうという問題がある。
【０００７】
そこで、本発明は上記課題を鑑み、製版工程中に装置が非常停止し、製版動作が中断された場合の復帰動作において、マスタ及び作業時間を無駄にすることなく製版工程を再開可能な孔版印刷装置を提供することを目的とする。
【課題を解決するための手段】
【０００８】
上記課題を解決するために、本発明に係る孔版印刷装置は、
画像を読み取る画像読取手段と、該画像読取手段で読取られた読取画像データに基づいてマスタに書込みを行う製版手段と、製版がなされた前記マスタを巻装する版胴と、前記版胴より前記マスタを排版する排版手段とを少なくとも備え、画像読取動作、製版動作、巻装動作、排版動作からなる製版工程を行う孔版印刷装置において、
前記読取画像データが前記マスタに書込まれる製版画像領域と書込みが行われない領域とを識別する製版画像領域識別手段、及び前記製版画像領域の書込みが完了したか否かを判断する書込み完了判断手段をさらに備え、
装置の非常停止により前記製版動作が中断された際、前記書込み完了判断手段により前記製版画像領域の書込みが完了していないと判断された場合は、復帰動作として排版動作が行われ、前記書込み完了判断手段により前記製版画像領域の書込みが完了したと判断された場合は、復帰動作として無製版の製版動作が行われることを特徴とする孔版印刷装置である。
【発明の効果】
【０００９】
本発明の孔版印刷装置によれば、製版工程中に装置が非常停止し、製版動作が中断された場合の復帰動作において、製版画像領域への書込みが完了したか否かを判断して復帰動作を選択することができるため、マスタ及び作業時間を無駄にすることなく製版工程を再開することができる。
【図面の簡単な説明】
【００１０】
【図１】本発明の孔版印刷装置の一実施態様を示す概略正面図である。
【図２】本発明の孔版印刷装置の制御手段の一例を説明するブロック図である。
【図３】本発明の孔版印刷装置による印刷の流れの一例を示すフローチャートである。
【図４】本発明の孔版印刷装置による印刷の流れの他の例を示すフローチャートである。
【図５】本発明の孔版印刷装置による印刷の流れの他の例を示すフローチャートである。
【図６】正常な製版工程において作成されたマスタの例を示した模式図である。
【図７】非常停止などにより製版が中断されたマスタの例を示した模式図である。
【図８】非常停止などにより製版が中断されたマスタの他の例を示した模式図である。
【発明を実施するための形態】
【００１１】
以下、本発明に係る孔版印刷装置について図面を参照して説明する。なお、本発明は以下に示す実施例の実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１２】
本発明の孔版印刷装置は、画像を読み取る画像読取手段と、該画像読取手段で読取られた読取画像データに基づいてマスタに書込みを行う製版手段と、製版がなされた前記マスタを巻装する版胴と、前記版胴より前記マスタを排版する排版手段とを少なくとも備え、画像読取動作、製版動作、巻装動作、排版動作からなる製版工程を行う。
図１に、本発明の一実施態様である孔版印刷装置１の概略正面図を示す。
図１に示すように、孔版印刷装置１は、画像読取手段としての画像読取部７、画像読取手段で読取られた読取画像データに基づいてマスタに書込みを行う製版手段としての製版部３、製版がなされた前記マスタを巻装する版胴９、版胴９より前記マスタを排版する排版手段としての排版部５を備え、画像読取動作、製版動作、巻装動作、排版動作からなる製版工程を行う。さらに、給紙手段としての給紙部４、印刷部２、排紙手段としての排紙部６等を有している。
装置本体８のほぼ中央に配設された印刷部２は、版胴９の他に、インキ供給手段１０、押圧手段としてのプレスローラ１１等を有している。
【００１３】
版胴９は、インキ供給パイプを兼ねた支軸１２に回転自在に支持された一対のフランジ１３（一方のみ図示）と、各フランジ１３の外周面に巻装された多孔性支持板９ａとから主に構成されており、図示しない版胴駆動手段によって図１において時計回り方向に回転駆動される。
支軸１２の表面にはインキ供給手段１０にインキを供給するための複数の小さな孔が穿設されており、各フランジ１３は図示しない軸受を介して支軸１２に回転自在に支持されている。
【００１４】
ステンレスの薄板等で形成される多孔性支持板９ａは、多数の開孔が穿設された開孔部と非開孔部とを有しており、開孔部の周方向長さはＡ３サイズの用紙に対して印刷を行うことが可能な長さに形成されている。非開孔部には版胴９の一母線と平行な平面を有するステージ部１４が配設されており、ステージ部１４の上面には後述するマスタ２７の先端を係止する係止手段としての開閉自在なクランパ１５が配設されている。多孔性支持板９ａの開孔部の外側には、ポリエステルあるいはステンレスの細線等からなる図示しないメッシュスクリーンが１〜３層程度巻装されている。
【００１５】
版胴９の内部であって支軸１２の下方に位置する部位には、インキローラ１６及びドクターローラ１７ 等を有するインキ供給手段１０が配設されている。インキローラ１６は、各フランジ１３間の支軸１２上に固着された図示しない一対の側板間に回転自在に支持されており、図示しない駆動手段によって版胴９と同方向に回転駆動される。ドクターローラ１７は、その周面をインキローラ１６の周面に近接させて前記側板間に回転自在に配置されており、図示しない駆動手段によってインキローラ１６とは逆方向に回転駆動される。
インキローラ１６とドクターローラ１７との近接部において、支軸１２より供給されたインキにより断面楔形状のインキ溜まり１８が形成される。また、版胴９には図示しないエンコーダが取り付けられており、版胴９の位置情報は後述する制御手段９８に入力される。
【００１６】
版胴９の下方にはプレスローラ１１が配設されている。版胴９の軸方向長さとほぼ同じ長さを有し、芯部１１ａの周囲にゴム等の弾性体を巻成してなるプレスローラ１１は、芯部１１ａの一端を一対のプレスローラアーム１９の一端間にそれぞれ回転自在に支持されている。板状部材である一対のプレスローラアーム１９は、装置本体８に回動自在に支持されたプレスローラ軸２０にそれぞれの他端を固着されており、図示しないプレスローラ揺動手段によってそれぞれ一体的に揺動される。この揺動によりプレスローラ１１は、その周面を版胴９の外周面から離間させる実線で示す離間位置と、その周面を所定の押圧力で版胴９の外周面に圧接させる破線で示す押圧位置とを選択的に占める。
【００１７】
印刷部２の右上方には製版部３が配設されている。製版部３は、マスタ貯容部材２１、プラテンローラ２２、サーマルヘッド２３、切断手段２４、マスタ搬送ローラ対２５，２６等を有するユニットとして構成されており、装置本体８に対して着脱可能に構成されている。
【００１８】
マスタ貯容部材２１は、円盤状を呈する一対のマスタロール保持部材２１ａと一対の支持部材２１ｂとから構成されている。各マスタロール保持部材２１ａはその両側面にそれぞれ突起を有しており、一方の突起を熱可塑性樹脂フィルムと多孔性支持体とを貼り合わせたマスタ２７をロール状に巻成してなるマスタロール２８の芯部にそれぞれ嵌合される。
これによりマスタロール２８が各マスタロール保持部材２１ａによって着脱自在に支持される。マスタロール２８を支持した各マスタロール保持部材２１ａは、他方の突起を支持部材２１ｂに形成された溝部にそれぞれ嵌合される。これによりマスタロール２８が支持部材２１ｂによって回転自在に支持される。
【００１９】
マスタ貯容部材２１よりもマスタ搬送方向下流側には、プラテンローラ２２及びサーマルヘッド２３が配設されている。プラテンローラ２ ２ は製版部３ の図示しない側板に回転自在に支持されており、製版部３に取り付けられた正逆転可能なステッピングモータ２９によって、マスタロール２８からマスタ２７を送り出す方向である、図１に矢印Ａで示す正方向と、マスタロール２８にマスタ２７を戻す方向である、図１に矢印Ｂで示す逆方向とに回転駆動される。
【００２０】
その上面に多数の発熱素子を有するサーマルヘッド２３は製版部３の図示しない側板に取り付けられており、図示しない付勢手段の付勢力によってその上面をプラテンローラ２２の周面に所定の圧接力で圧接されている。サーマルヘッド２３は、マスタ２７の熱可塑性樹脂フィルム面に接触しつつ各発熱素子を選択的に発熱させ、マスタ２７に対して熱溶融穿孔製版を行う。
【００２１】
プラテンローラ２２及びサーマルヘッド２３よりもマスタ搬送方向下流側には、マスタ２７を切断する切断手段２４が配設されている。固定刃２４ａ及び可動刃２４ｂ等を有する切断手段２４は、製版部３に固定された固定刃２４ａに対して可動刃２４ｂが回転移動することによりマスタ２７を切断する周知の構成である。
【００２２】
切断手段２４よりもマスタ搬送方向下流側には、マスタ搬送ローラ対２５，２６及びマスタガイド板３０，３１が配設されている。マスタ搬送ローラ対２５，２６は、図示しない駆動手段によって互いに同期して回転駆動される駆動ローラ２５ａ，２６ａと、図示しない付勢手段によって各駆動ローラ２５ａ， ２６ａにそれぞれ圧接された従動ローラ２５ｂ，２６ｂとから構成されている。各駆動ローラ２５ａ，２６ａ には図示しないクラッチがそれぞれ設けられており、各駆動ローラ２５ａ，２６ａは駆動手段に負荷を掛けずに外力によって回転可能に構成されている。
【００２３】
各マスタ搬送ローラ対２５，２６間にはマスタガイド板３０が、また、マスタ搬送ローラ対２６よりもマスタ搬送方向下流側にはマスタガイド板３１がそれぞれ配設されている。
各マスタガイド板３０，３１は製版部３の図示しない側板に固着されており、各マスタ搬送ローラ対２５，２６によって搬送されるマスタ２７をガイドし、マスタ２７の先端を版胴９の外周面へと案内する。
【００２４】
製版部３の下方には給紙部４が配設されている。給紙部４は、給紙トレイ３２、給紙ローラ３３、分離ローラ３４、分離ころ３５、レジストローラ対３６等を有している。
【００２５】
上面に多数の用紙Ｐを積載する給紙トレイ３２は装置本体８に上下動自在に支持されており、図示しない昇降手段によって上下動される。給紙トレイ３２には、積載された用紙Ｐのサイズを検知する複数の用紙サイズ検知センサ３７と、用紙Ｐをガイドする一対のサイドフェンス３８とが設けられている。各センサ３７はそれぞれ反射型センサからなり、サイドフェンス３８は用紙幅方向にそれぞれ同期して移動自在な周知の構成である。
【００２６】
給紙トレイ３２の上方には表面に高摩擦抵抗部材を有する給紙ローラ３３が配設されており、その用紙搬送方向下流側には同様に表面に高摩擦抵抗部材を有する分離ローラ３４が配設されている。給紙ローラ３３は給紙トレイ３２上の用紙Ｐと所定の圧力で圧接し、給紙ローラ３３及び分離ローラ３４は、ギヤやベルト等の図示しない駆動力伝達手段を介して、共通のステッピングモータ３９によって図１の時計回り方向に、互いに同期して回転駆動される。分離ころ３５は所定の圧接力で分離ローラ３４に圧接配置されており、図１の時計回り方向に間欠回転可能に構成されている。
【００２７】
分離ローラ３４及び分離ころ３５よりも用紙搬送方向下流側には、レジストローラ対３６が配設されている。駆動ローラ３６ａと従動ローラ３６ｂとからなるレジストローラ対３６は、図示しない版胴駆動手段からの回転駆動力をギヤやカム等の図示しない駆動力伝達手段によって伝達されることにより駆動ローラ３６ａが版胴９と同期した所定のタイミングで回転し、この駆動ローラ３６ａに圧接された従動ローラ３６ｂとによって用紙Ｐを印刷部２へ向けて給送する。
【００２８】
印刷部２の左上方には排版部５が配設されている。排版部５は、上排版部材４０、下排版部材４１、排版ボックス４２、圧縮板４３等を有している。
上排版部材４０は、駆動ローラ４４、従動ローラ４５、無端ベルト４６等を有し、図示しない駆動手段によって駆動ローラ４４が図１の時計回り方向に回転駆動されることによって無端ベルト４６が図１の矢印方向に移動する。下排版部材４１も駆動ローラ４７、従動ローラ４８、無端ベルト４９を有しており、駆動ローラ４４を回転駆動する図示しない駆動手段の駆動力をギヤやベルト等の図示しない駆動力伝達手段によって伝達されることで、駆動ローラ４７が図１の時計回り方向に回転駆動されることにより無端ベルト４９が図１の矢印方向に移動する。また、下排版部材４１は図示しない移動手段によって移動自在に構成されており、図１に示す位置と駆動ローラ４７の周面上に位置する無端ベルト４９が版胴９の外周面に当接する位置とに選択的に移動される。
【００２９】
内部に使用済みマスタ５０を収納する排版ボックス４２は、装置本体８に対して着脱自在に構成されている。上排版部材４０と下排版部材４１とによって排版ボックス４２内に運ばれた使用済みマスタ５０を圧縮する圧縮板４３は、図示しない昇降手段によって図１の実線位置と破線位置との間を上下動する。
【００３０】
排版部５の下方には排紙部６が配設されている。排紙部６は、剥離爪５１、排紙搬送部材５２、排紙トレイ５３等を有している。
版胴９の外周面上より印刷済みの用紙Ｐを剥離する剥離爪５１は、支軸５１ａによって排紙部６の図示しない側板に揺動自在に支持されており、図示しない爪揺動手段によって、その先端が版胴９の外周面に近接する位置と、その先端が版胴９の回転によって移動するクランパ１５等の障害物と干渉しない位置とに選択的に揺動される。
【００３１】
排紙搬送部材５２は、駆動ローラ５４、従動ローラ５５、無端ベルト５６、吸引ファン５７等を有している。駆動ローラ５４は図示しないユニット側板に回転自在に支持されており、図示しない回転駆動手段によって回転駆動される。従動ローラ５５も同側板に回転自在に支持されており、駆動ローラ５４及び従動ローラ５５間には複数の開孔を有する複数の無端ベルト５６が掛け渡されている。駆動ローラ５４、従動ローラ５５及び無端ベルト５６の下方には、筐体状を呈する図示しないユニット本体の底面に取り付けられた吸引ファン５７が配設されている。排紙搬送部材５２は、吸引ファン５７の吸引力によって無端ベルト５６上に用紙Ｐを吸引し、駆動ローラ５４の回転によって用紙Ｐを図１の矢印方向に搬送する。
【００３２】
排紙搬送部材５２によって搬送される印刷済みの用紙Ｐをその上面に積載する排紙トレイ５３は、用紙幅方向に移動自在な一対のサイドフェンス５８と、用紙搬送方向に移動自在な一つのエンドフェンス５９とを有している。
【００３３】
装置本体８の上部には画像読取部７が配設されている。画像読取部７は、原稿６０を積載する原稿載置台６１、原稿６０を載置するコンタクトガラス６２、原稿６０を搬送する原稿搬送ローラ対６３及び原稿搬送ローラ６４、搬送される原稿６０をガイドする原稿ガイド板６５，６６、原稿６０をコンタクトガラス６２に沿って搬送する複数の原稿搬送ベルト６７、読み取られた原稿６０を積載する原稿トレイ６８、コンタクトガラス６２を除く上記各部材を支持しコンタクトガラス６２に対して接離自在に設けられた圧板６９、原稿画像を走査して読み取るための反射ミラー７０，７１及び蛍光灯７２を有する走査ユニット７３、走査された画像を集束するレンズ７４、集束された画像を処理するＣＣＤ 等の画像センサ７５等を有している。
【００３４】
原稿載置台６１の下方には原稿載置台６１上に残存している原稿６０を検知する原稿検知センサ７６が配置され、コンタクトガラス６２の下方にはコンタクトガラス６２上に載置あるいは搬送された原稿６０の有無及びサイズを検知する原稿サイズ検知センサ７７が配置されている。また、原稿搬送ローラ対６３はステッピングモータ７８によって、走査ユニット７３はステッピングモータ７９によってそれぞれ駆動される。
【００３５】
また、本発明の孔版印刷装置は、前記読取画像データが前記マスタに書込まれる製版画像領域と、書込みが行われない領域とを識別する製版画像領域識別手段、及び前記製版画像領域の書込みが完了したか否かを判断する書込み完了判断手段を備える。
装置の非常停止により製版動作が中断された際、前記書込み完了判断手段により前記製版画像領域の書込みが完了していないと判断された場合、復帰動作として排版動作が行われ、前記書込み完了判断手段により前記製版画像領域の書込みが完了したと判断された場合、復帰動作として無製版の製版動作が行われる。
【００３６】
さらに、前記画像読取手段で読み取られた前記読取画像データを格納する記憶手段を有する。
装置の非常停止により前記製版動作が中断された際、前記書込み完了判断手段により前記製版画像領域の書込みが完了していないと判断された場合、復帰動作として排版動作が行われた後、前記記憶手段に格納された前記読取画像データに基づき、再び製版動作が行われる。
【００３７】
図２は、本発明の孔版印刷装機に用いられる制御手段の一例を示すブロック図である。
装置本体８の内部に配設された周知のマイクロコンピュータである制御手段１００は、ＣＰＵ１０２、ＲＯＭ１０１、ＲＡＭ１０３等を有している。
ＲＯＭ１０１には孔版印刷装置１全体の動作プログラムが記憶されており、記憶手段として機能するＲＡＭ１０３には、原稿種類あるいは変倍率等の製版条件、印刷枚数あるいは印刷速度等の印刷条件、及び孔版印刷装置１がどの時点まで製版動作を行ったかがそれぞれ記憶される。なお、ＲＡＭ１０３には図示しないバッテリバックアップ機構が付設されており、ＲＡＭ１０３内に記憶された内容は孔版印刷装置１のメイン電源が落とされても消去されないように構成されている。
【００３８】
前記製版画像領域の画像データの書き込みが完了したか否かを判断する書込み完了判断手段である判断部８１、及び画像読取手段である画像読取部７にて読み取った読取画像データを記憶する記憶手段である画像メモリ８２、製版画像領域識別手段（図示せず）からも制御に応じて制御手段１００とアクセスを行う。
【００３９】
なお、装置本体８は操作パネル８０を備え、制御手段１００は操作パネル８０からの入力に応じた制御を行う。操作パネル８０は、製版や印刷の開始及び停止、テンキー、表示装置などの周知の構成を有する。
本発明の孔版印刷装置は、装置の非常停止により前記製版動作が中断された際の復帰動作をユーザが選択可能な手段を備えていてもよい。この場合、ユーザが操作パネル８０により選択した復帰動作の実行を指示することもできる。
ユーザは、前記判断部８１の判断結果を参照し、また装置の状態や作業状況等を適宜考慮して、最適な復帰動作の選択を行うことができる。
【００４０】
ここで、復帰動作について図６〜図８により説明する。
図６は、正常な製版工程において作成されたマスタ９０を示したものである。読取画像データがマスタ９０に書込まれてなる製版画像領域を、「あ」の文字で模式的に表している。
図７及び図８は、製版工程における製版動作が中断された際のマスタの例であり、製版動作としての書込みが完了した領域を９１、未完了の領域を点線で囲まれた９２で示している。
【００４１】
図７に示すマスタ９０は、製版画像領域の書込みは完了している。この場合、従来の制御による復帰動作では排版処理が行われ、このマスタ９０は無駄になる。しかしながら、本発明の孔版印刷装置では、書込み完了判断手段である判断部８１により書込みが完了したと判断された場合、排版処理は行われず、復帰動作として無地で製版する無製版の製版動作が行われる。
一方、図８に示すマスタ９０は、製版画像領域の書込みは完了していない。従来の制御による復帰動作では、書込み完了前に中断しているにもかかわらず、以降の領域では無製版処理が行われ、作業時間が無駄になる。しかしながら、本発明の孔版印刷装置では、書込み完了判断手段である判断部８１により書込みが完了していないと判断された場合、復帰動作として排版動作が行われる。
【００４２】
図８に示すマスタ９０に対しては、復帰動作として排版動作が行われた後、前記記憶手段８２に格納された前記読取画像データに基づき、再び製版動作が行われる。
【００４３】
上述のとおり、本発明の孔版印刷装置は、非常停止により前記製版動作が中断された際、以下のいずれかの復帰動作が行われる。
（１）製版画像領域の書込みが完了していないと判断された場合、排版動作が行われる。（以下、「第１の復帰動作」という。）
（２）製版画像領域の書込みが完了したと判断された場合、無製版の製版動作が行われる。（以下、「第２の復帰動作」という。）
（３）製版画像領域の書込みが完了していないと判断された場合、排版動作が行われた後、再度製版動作が行われる。（以下、「第３の復帰動作」という。）
【００４４】
図３、図４及び図５は、本発明の孔版印刷装置における印刷の流れの例を示すフローチャートである。
図３は、基本的な印刷の流れの一例を示したものである。
図３に示すように、印刷が開始され（Ｓ１）、製版工程における製版動作（Ｓ２）が行われている間に、何らかの異常が発生して装置が非常停止（Ｓ３）して製版動作が中断された際、書込み完了判断手段８１により前記製版画像領域の書込みが完了したか否かが判断される（Ｓ４）。書込みが完了したと判断された場合、復帰動作として前記第２の復帰動作が選択され（Ｓ５）、排版動作は実行されず（Ｓ６）、無製版の製版動作が行われる（Ｓ７）。一方、前記製版画像領域の書込みが完了していないと判断された場合、第１の復帰動作が選択され（Ｓ８）、排版動作が実行される（Ｓ９）。このように、Ｓ７で示す無製版動作またはＳ９で示す排版動作が完了し、印刷が終了する（Ｓ１０）。
【００４５】
図４は、読取画像データを格納する記憶手段（画像メモリ８１）を備える孔版印刷装置における印刷の流れの一例を示すフローチャートである。
図４に示すように、印刷が開始されると（Ｓ１１）、画像読取手段としての画像読取部７により画像データが読み取られ（Ｓ１２）、得られた読取画像データは記憶手段である画像メモリ８１に格納され記憶される（Ｓ１３）。製版工程における製版動作（Ｓ１４）が行われている間に、何らかの異常が発生して装置が非常停止（Ｓ１５）して製版動作が中断された際、書込み完了判断手段８１により前記製版画像領域の書込みが完了したか否かが判断される（Ｓ１６）。書込みが完了したと判断された場合、復帰動作として前記第２の復帰動作が選択され（Ｓ１７）、排版動作は実行されず（Ｓ１８）、無製版の製版動作が行われる（Ｓ１９）。一方、前記製版画像領域の書込みが完了していないと判断された場合、第３の復帰動作が選択され（Ｓ２０）、排版動作が実行された後（Ｓ２１）、画像メモリ８２から格納された読取画像データを取得し（Ｓ２２）、該読取画像データに基づき再び製版動作が行われる（Ｓ２３）。このように、Ｓ１９で示す無製版動作またはＳ２３で示す製版動作が完了し、印刷が終了する（Ｓ２４）。
【００４６】
図５は、復帰動作をユーザが選択可能な手段を備える孔版印刷装置における印刷の流れの一例を示すフローチャートである。
図５に示すように、印刷が開始されると（Ｓ２５）、画像読取手段としての画像読取部７により画像データが読み取られ（Ｓ２６）、得られた読取画像データは記憶手段である画像メモリ８１に格納され記憶される（Ｓ２７）。製版工程における製版動作（Ｓ２８）が行われている間に、何らかの異常が発生して装置が非常停止（Ｓ２９）して製版動作が中断された際、ユーザが復帰動作を選択する。例えば、ユーザが第３の復帰動作を選択するか否かが判断される（Ｓ３０）。第３の復帰動作が選択された場合（Ｓ３１）、排版動作が実行された後（Ｓ３２）、画像メモリ８２から格納された読取画像データを取得し（Ｓ３３）、該読取画像データに基づき再び製版動作が行われる（Ｓ３４）。次いで、ユーザが第２の復帰動作を選択するか否かが判断される（Ｓ３５）。復帰動作として前記第２の復帰動作が選択された場合（Ｓ３６）、排版動作は実行されず（Ｓ３７）、無製版の製版動作が行われる（Ｓ３８）。一方、復帰動作として第２の復帰動作が選択されなかった場合は第１の復帰動作が行われ（Ｓ３９）、排版動作のみが行われる（Ｓ４０）。このように、Ｓ３４で示す製版動作、Ｓ３８で示す無製版動作、Ｓ４０で示す排版動作のいずれかが完了して、印刷が終了する（Ｓ４１）。
【００４７】
以上のように、本発明の孔版印刷装置は、製版中（プロッタでのマスタへの画像書き込み時）に何らかの異常が発生し、非常停止した際に、異常発生時以降に書き込まれる画像データが有るか否か、すなわち読取画像データの版への書き込みが完了しているか否かを判断し、その判断結果をもって復帰動作を決定することにより、自動で、かつマスタを極力無駄にすることなく印刷動作を復帰させることが可能となる。
【符号の説明】
【００４８】
１        孔版印刷装置
２        印刷部
３        製版部（製版手段）
５        排版部（排版手段）
７        画像読取部（画像読取手段）
８        装置本体
９        版胴（ドラム）
８１      判断部（書込み完了判断手段）
８２      画像メモリ（記憶手段）
１００    制御手段
【先行技術文献】
【特許文献】
【００４９】
【特許文献１】特開２００３−３４１２１１号公報
【特許文献２】特開２００４−２５５５９１号公報
【特許文献３】特開２００４−３４５４９号公報
【図１】
2013169739.tif 000003
【図２】
2013169739.tif 000004
【図３】
2013169739.tif 000005
【図４】
2013169739.tif 000006
【図５】
2013169739.tif 000007
【図６】
2013169739.tif 000008
【図７】
2013169739.tif 000009
【図８】
2013169739.tif 000010